(57)【要約】      （修正有）【課題】自動変速装置を搭載した自動車における「Ｄ」レンジ等の前進と「Ｒ」レンジの後進との思い違いによるセレクトレバーの操作ミス等に起因する交通事故の発生を抑制して安全運転の励行に役立てることのできる自動変速装置を搭載した自動車における前進、後進の視認装置を提供する。【解決手段】自動変速装置を搭載した自動車において、ダッシュボードにおけるスピードメーター等の各種メーターを配備するメーターナセル２内部若しくはその周辺、又はステアリング・ホィール上、その他の運転者が視認容易な部位に、自動変速装置におけるセレクト・レバーの前進レンジ、後進レンジの切り替え操作により発光色、点灯、点滅等の表示態様を自動切り替えするように構成してなる発光式の前後進パイロット・ランプ３を配備した。【選択図】図２
0003104745.tif 000002
【実用新案登録請求の範囲】
【請求項１】
自動変速装置を搭載した自動車において、ダッシュボードにおけるスピードメーター等の各種メーターを配備するメーターナセル内部若しくはその周辺、又はステアリング・ホィール上、その他の運転者が視認容易な部位に、自動変速装置におけるセレクト・レバーの前進レンジ、後進レンジの切り替え操作により発光色、点灯、点滅等の発光態様を自動切り替えするように構成してなる発光式の前後進パイロット・ランプを配備したことを特徴とする自動変速装置を搭載した自動車における前進、後進の視認装置。
【請求項２】
前記該前後進パイロットランプをエンジンが始動し運転者がブレーキペダルを踏んでいる状態下でのみ作動させるように構成した請求項１に記載の自動変速装置を搭載した自動車における前進、後進の視認装置。
【請求項３】
前記前後進パイロット・ランプを発光視認性に優れたＬＥＤランプとする請求項１又は請求項２に記載の自動変速装置を搭載した自動車における前進、後進の視認装置。
【考案の詳細な説明】
【技術分野】
【０００１】
本考案は、自動変速装置を搭載した自動車における前進、後進の視認装置に関するものである。
【背景技術】
【０００２】
自動車の普及率が目覚ましい我国において、一般家庭で普通に保有し使用される自動車はその殆どがオートマ、ＡＴ等と呼ばれるセレクトレバーを操作する自動変速装置（オートマチック・トランスミッション）を搭載した自動車である。この種の自動変速装置を搭載した自動車にあっては、トランスミッションのシフトレバーを手動操作するマニュアルミッション車に比して運転技能の高くない運転初心者や運転不慣者が運転する場合が多い傾向にあり、セレクトレバーの操作ミス等から「Ｄ」、「２」、「Ｌ」レンジ等の前進側と「Ｒ」レンジの後進とを思い違いしてそのままアクセルペダルを踏み込んで、前進するつもりが後進したり、後進するつもりが前進したりして、認識と逆方向に発進、暴走する場合が比較的簡単に起こり得るといえるのであり、、最悪の場合には死傷者をも出すような痛ましい交通事故が起こり、往々にして報道されるところである。
【特許文献１】実用新案公開平５−４７６０７号公報
【考案の開示】
【考案が解決しようとする課題】
【０００３】
本考案は、如上の自動変速装置を搭載した自動車における「Ｄ」レンジ等の前進と「Ｒ」レンジの後進との思い違いによるセレクトレバーの操作ミス等に起因する交通事故の発生を抑制して安全運転の励行に役立てることのできる自動変速装置を搭載した自動車における前進、後進の視認装置を提供することを目的とするものである。
【課題を解決するための手段】
【０００４】
上記の目的を達成するための本考案の構成を説明すると、自動変速装置を搭載した自動車において、ダッシュボードにおけるスピードメーター等の各種メーターを配備するメーターナセル内部若しくはその周辺又はステアリング・ホィール上等の運転者が視認容易な部位に、自動変速装置におけるセレクト・レバーの前進側レンジ、後進レンジの切り替え操作により発光色、点灯、点滅等の発光態様を自動切り替えするように構成してなる発光式の前後進パイロット・ランプを配備したことを最も主要な特徴とするものである。
【考案の効果】
【０００５】
本考案の自動変速装置を搭載した自動車における前進、後進の視認装置は、エンジンを始動し運転者がブレーキペダルを踏んでいる状態下、即ち発進の直前段階において、前後進パイロット・ランプの表示態様によって運転者は、自動変速装置のセレクトレバーが現に前進、後進のいずれに位置しているかを確認的に視覚を通して認識させられることから、前進、後進の思い違いによるセレクトレバーの操作ミス等に起因する交通事故の発生を未然に防止して、安全運転の励行に役立てることができるという利点がある。
【考案を実施するための最良の形態】
【０００６】
自動変速装置を搭載した自動車において、セレクトレバーが現に前進と後進のいずれのレンジを選択しているのかということを運転者がアクセルペダルを踏み込む直前の発進準備段階において、セレクト・レバーと電気的に連動する前後進パイロット・ランプよって運転者が確認的に視認できるように該前後進パイロット・ランプを視認容易な部位に配備することによって、より一層の注意を喚起でき得るように実現したものである。
【実施例１】
【０００７】
図１は、自動変速装置のセレクトレバーを例示する斜視図、図２は、本考案装置の前後進パイロット・ランプをメーターナセルに配備した実施例を例示する正面図、図３は、本考案装置の前後進パイロット・ランプをステアリング・ホィール(ハンドル)上に配備した実施例を例示する正面図である。
【０００８】
自動変速装置を搭載した自動車におけるセレクト・レバー１は、通例、図１に例示するように「Ｐ」駐車（パーキング）、「Ｒ」後退（リバース）、「Ｎ」ニュートラル、「Ｄ」通常走行（ドライブ）、「２」下り坂走行（セカンド）、「Ｌ」急下り坂走行（ロー）の各々のレンジを設けてなる前進３段や、或いは、車種によっては、「３」（サード）のレンジを追加してなる前進４段、その他の場合もあり得る。
【０００９】
該自動変速装置を搭載した自動車において、図２に例示するようにダッシュボードにおけるスピードメーター等の各種メーターを配備するメーターナセル２の内部、若しくはその周辺に前後進パイロット・ランプ３を配備する。或いはまた、図３に例示するようにステアリング・ホィール(ハンドル)４上に前後進パイロット・ランプ３を配備してもよく、
前後進パイロット・ランプ３は運転者が視認容易な適宜な部位に配備されれば足りる。
【００１０】
該前後進パイロット・ランプ３は、発光視認性に優れたＬＥＤランプを用いるのが好適である。ＬＥＤランプを用いると、昼間にあってもきわめて視認容易である。かかる前後進パイロット・ランプ３は、セレクト・レバー１に電気的に連動するように構成されている。
【００１１】
すなわち、セレクト・レバーが「Ｄ」通常走行（ドライブ）、「２」（セカンド）、「Ｌ」（ロー）等のいずれかの前進側レンジに位置する時は、例えば、前後進パイロット・ランプ１を青色点灯に、また、セレクト・レバーが「Ｒ」後退（リバース）」の後進レンジに位置する時は、例えば、前後進パイロット・ランプ１を赤色点滅に自動的にそのランプ表示を切り替え得るように構成されている。
【００１２】
本実施例においては、該前後進パイロット・ランプ１を１個となし、セレクトレバー１の前進側レンジと後進レンジの位置によりその色彩等の表示態様を切り替えるように構成してなるものであるが、前後進パイロット・ランプ１を２個一対として設け、セレクトレバー１の前進側レンジの位置を表示する前進専用ランプと後進レンジの位置を表示する後進専用ランプを各々に独立的に２個一対で設けることも可能である。
【００１３】
上記のような構成になる前後進パイロット・ランプ３は、エンジンが始動しており、且つ運転者がブレーキペダルを踏んでいる状態下においてのみ作動するものとし、運転者がアクセルペダルに踏み変えて発進する発進直前段階において作動すれば足り、ブレーキペダルから足を離脱させた時は該前後進パイロット・ランプ３を作動させないように構成する。これにより、通常走行時においては前後進パイロット・ランプ３に視界を煩わされることなく、安全な通常走行を行うことができる。
【００１４】
上記のような構成において、運転者が発進するに際してブレーキペダルからアクセルペダルに踏み替える直前の発進準備段階で、運転者は視界に飛び込む前後進パイロット・ランプ３の表示態様によって、自車のセレクト・レバー１が前進側レンジに位置しているか、又は、後進レンジに位置しているかをきわめて容易に確認的に視認することができる。
【００１５】
これによって、自動変速装置を搭載した自動車における運転者は、「Ｄ」レンジ等の前進側と「Ｒ」レンジの後進との思い違いによるセレクトレバーの操作ミス等に起因する交通事故の発生を抑制することができ、安全運転の励行に役立てることのできる実用的効果を有する。
【図面の簡単な説明】
【００１６】
【図１】自動変速装置のセレクトレバーを例示する斜視図である。
【図２】本考案装置の前後進パイロット・ランプをメーターナセルに配備した実施例を例示する正面図である。
【図３】本考案装置の前後進パイロット・ランプをステアリング・ホィール上に配備した実施例を例示する正面図である。
【符号の説明】
【００１７】
１    セレクトレバー
２    メーターナセル
３    前後進パイロット・ランプ
４    ステアリング・ホィール
【図１】
0003104745.tif 000003
【図２】
0003104745.tif 000004
【図３】
0003104745.tif 000005